Podtech/llm-jp-corpus-v4-ja_patent huggingface dataset:
【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
周辺光が送電網からの電気の使用量の軽減を可能とするときに、建築物の内部を利用可能な太陽エネルギーで照らすための照明システムであって、
複数のＬＥＤ灯および複数の蛍光灯を備える照明配列と、
前記照明配列の中の前記ＬＥＤ灯に電力を提供する太陽電池パネルと、
前記建築物の前記内部における周辺光レベルを感知する光電池と、
前記感知された周辺光レベルが、照明目的で前記ＬＥＤ灯の利用のために規定されたレベル未満であるときに、前記蛍光灯を作動させるように前記光電池によって作動される制御機構と、
を特徴とする、照明システム。
【請求項２】
前記照明配列の中の前記ＬＥＤ灯に電力を提供する複数の太陽電池パネルを更に特徴とする、請求項１に記載の照明システム。
【請求項３】
前記制御機構が、電圧感応スイッチを備える、請求項１または２に記載の照明システム。
【請求項４】
前記電圧感応スイッチが、電力が前記複数の蛍光灯に流れることを選択的に可能にする、請求項３に記載の照明システム。
【請求項５】
前記光電池が、前記ＬＥＤ灯からの周辺光出力を感知し、前記電圧感応スイッチが、前記光電池に接続される、請求項３に記載の照明システム。
【請求項６】
電圧源が前記光電池に接続される、請求項１〜５のいずれかに記載の照明システム。
【請求項７】
周辺光が送電網からの電気の使用量の軽減を可能とするときに、建築物の内部を利用可能な太陽エネルギーで照らすための照明システムであって、
複数の第１の光源および複数の第２の光源を備える照明配列と、
前記照明配列の中の前記第１の光源に電力を提供する太陽電池パネルと、
前記建築物の前記内部における周辺光レベルを感知する光電池と、
前記感知された周辺光レベルが、照明目的で前記第１の光源の利用のために規定されたレベル未満であるときに、前記第２の光源を作動させるように前記光電池によって作動される制御機構と、
を特徴とする、照明システム。
【請求項８】
前記照明配列の中の前記複数の第１の光源に電力を提供する複数の太陽電池パネルを更に特徴とする、請求項７に記載の照明システム。
【請求項９】
前記制御機構が、電圧感応スイッチを備える、請求項７〜８のいずれかに記載の照明システム。
【請求項１０】
前記電圧感応スイッチが、電力が前記複数の第２の光源に流れることを選択的に可能にする、請求項９に記載の照明システム。
【請求項１１】
前記光電池が、前記複数の第１の光源からの周辺光出力を感知し、前記電圧感応スイッチが、前記光電池に接続される、請求項９〜１０のいずれかに記載の照明システム。
【請求項１２】
電圧源が前記光電池に接続される、請求項７〜１１のいずれかに記載の照明システム。
【請求項１３】
周辺光が送電網からの電気の使用量の軽減を可能とするときに、建築物の内部を利用可能な太陽エネルギーで照らすための方法であって、
太陽電池パネルからの電力を用いて、照明配列の中の第１の光源に電力を提供するステップと、
前記建築物の前記内部における周辺光レベルを感知するステップと、
前記感知された周辺光レベルが、照明目的で前記第１の光源の利用のために規定されたレベル未満であるときを判定するステップと、
前記感知された周辺光レベルが前記規定されたレベル未満であるときに、建築物の配電網からの電力を用いて、第２の光源に対する電力を作動させるステップと、
を特徴とする、方法。
【請求項１４】
前記照明配列の中の前記第１の光源に対して、１つ以上の太陽電池パネルを用いて電力を供給するステップを更に特徴とする、請求項１３に記載の方法。
【請求項１５】
前記判定するステップが、電圧感応スイッチによって実施される、請求項１３に記載の方法。
【請求項１６】
前記作動させるステップが、
前記電圧感応スイッチに応答して、前記第２の光源に対して電力が流れることを選択的に可能にすることを更に特徴とする、請求項１５に記載の方法。
【請求項１７】
前記第１の光源からの光出力を前記光電池によって感知するステップを更に特徴とする、請求項１３に記載の方法。
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
ａ）１つ以上のバイポーラプレートを備えた１つ以上のバッテリプレートのスタックを有し、該スタックは基板を有し、該基板は一方の面にアノードをかつ他方の面にカソードを備え、モノポーラプレートを有し、該モノポーラプレートは一方の面に蒸着されたカソードを備えかつ一方の面に蒸着されたアノードを備え、プレートは、表面にカソードが蒸着されたプレートの面が、表面にアノードが蒸着された他のプレートの面に対面するように配置され、モノポーラプレートはバッテリプレートの各スタックの対向端に配置され、
ｂ）各プレートの間にセパレータおよび液体電解質が配置され、
ｃ）電気化学セルと連通するベント孔と連通している一体チャネルを更に有し、該一体チャネルはセパレータおよびバッテリプレートの孔からなり、該孔は整合されてチャネルを形成することを特徴とする物品。
【請求項２】
前記一体チャネルに弁が連結されていることを特徴とする請求項１記載の物品。
【請求項３】
圧力が物品に損傷を与える圧力より低い所定の圧力レベルに到達したときに、バイポーラプレートのシールされたスタック内の圧力を解放できる１つ以上の弁を更に有することを特徴とする請求項１または２記載の物品。
【請求項４】
マニホルドが１つ以上のベント孔を覆い、マニホルドには減圧弁が配置されていることを特徴とする請求項１〜３のいずれか１項記載の物品。
【請求項５】
前記モノポーラプレートおよびバイポーラプレートの基板は、熱可塑性ポリマのシートからなることを特徴とする請求項１〜４のいずれか１項記載の物品。
【請求項６】
前記バイポーラプレートは、基板を貫通して基板の両面と連通している複数の開口を備えたポリマ基板からなり、１つ以上の開口には基板の両面と接触している導電性材料が充填されていることを特徴とする請求項１〜４のいずれか１項記載の物品。
【請求項７】
前記基板は、熱硬化性ポリマの外周部の回りに取付けられた１つ以上の熱可塑性ポリマを有する熱硬化性ポリマからなることを特徴とする請求項１〜４のいずれか１項記載の物品。
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
硫黄を含む酸型のエステル化触媒及び少なくとも１つの重合防止剤の存在下におけるアクリル酸及び２−オクタノールの反応によって、２−オクチルアクリラートを連続的に製造するための方法であって、エステル化反応により生成される水は２−オクタノールとのヘテロ共沸混合物の形態で、反応器に搭載されるカラム内での蒸留によって同伴され、次いで、凝縮の後、デカンターにおける分離に掛けられて、上部の有機相及び下部の水相が得られ、反応生成物及び残留する副生成物を含む反応混合物は、一方で、純粋な２−オクチルアクリラート、他方で、リサイクルされることが意図される未反応の２−オクタノール及びアクリル酸化合物、並びにリサイクルされることが意図される触媒を得るために、分離手段による精製処理に掛けられ、
−  デカンターから導かれる水相は、連続的に抜き出されて除去され、
−  デカンターから導かれる有機相は、反応器に搭載された蒸留カラムの塔底部で連続的にリサイクルされ、
−  反応混合物の精製のための処理は、（ｉ）少なくとも部分的に反応段階にリサイクルされる触媒リッチな流体の分離、（ｉｉ）少なくとも部分的に反応段階にリサイクルされる未反応の２−オクタノールがリッチな流体の分離、及び（ｉｉｉ）所望の純粋な２−オクチルアクリラートの回収、を含む
ことを特徴とする、方法。
【請求項２】
反応混合物１の精製のための処理が、下記の副段階：
−  薄膜型蒸発器Ｅを使用する第１段階の触媒の分離であって、その終了時には、塔底部において、触媒及び重合防止剤がリッチな流体４であって、少なくとも部分的に反応にリサイクルされる前記流体４が分離され、塔頂部において、２−オクチルアクリラートがリッチな流体５が分離される段階；
−  ２−オクチルアクリラートがリッチな流体５が、塔頂部において、反応にリサイクルされる２−オクタノールがリッチな流体６を回収し、塔底部において、２−オクチルアクリラートがリッチな流体７を回収することを可能にする第１の蒸留カラムＣ１に送られ、前記の２−オクチルアクリラートがリッチな流体７は、塔頂部８において、純粋な２−オクチルアクリラートを分離し、塔底部において、第１の蒸留カラムにリサイクルされるか又は除去される重質な不純物及び重合防止剤を含有する留分を分離することを可能にする第２の蒸留カラムＣ２に送られる段階
を含むことを特徴とする、請求項１に記載の方法。
【請求項３】
反応混合物１の精製のための処理が、下記の副段階：
−  反応生成物がリッチな流体５及び反応混合物残渣４０を分離する、反応混合物１のフラッシュ蒸発段階；
−  撹拌しながら、反応混合物残渣４０を水もしくは水性流体に接触させて、触媒を含む水相４と、反応から生じる重質副生成物がリッチな有機相４５からなる二相系を形成させる段階；
−  前記水相４を分離し、水相４を反応へリサイクルする段階；
−  薄膜型蒸発器Ｅに送られる前記有機相４５の分離段階であって、前記薄膜型蒸発器Ｅは、活用可能な生成物の流体を分離することが可能であり、分離された流体は前記流体５と混合される段階；
−  ２−オクチルアクリラートがリッチな流体５を蒸留カラムＣ１’に送る段階であって、前記蒸留カラムＣ１’は：
○  塔頂部において、反応にリサイクルされる２−オクタノールがリッチな流体６を回収し、
○  塔側流の抜出を介して、純粋な２−オクチルアクリラートを回収し、
○  塔底部において、重質副生成物がリッチで、かつ２−オクチルアクリラートを含有する流体７であって、前記流体７は薄膜型蒸発器Ｅに送られて、前記薄膜型蒸発器Ｅから、重質副生成物を含有する留分であって、活用可能な化合物がすでに除去されている留分が除去される、流体７
を回収することを可能にする、段階
を含むことを特徴とする、請求項１に記載の方法。
【請求項４】
反応混合物１の精製のための処理が、下記の副段階：
−  反応混合物１を水もしくは水性流体と接触させて、触媒を含む水相４と反応生成物リッチな有機相５からなる二相系を生成させる段階；
−  前記水相４の分離及び水相４を反応へリサイクルする段階；
−  蒸留カラムＣ１へ送る前記有機相５の分離段階であって、前記Ｃ１は：
○  塔頂部において、反応生成物リッチな流体５０；及び
○  塔底部において、重質副生成物リッチで、かつ２−オクチルアクリラートを含有する流体７であって、前記流体７は薄膜型蒸発器Ｅに送られて、前記薄膜型蒸発器Ｅから、重質副生成物を含有する留分であって、カラムＣ１へリサイクルされる活用可能な化合物がすでに除去されている留分が除去される、流体７；
を得ることを可能にする、段階；
−  反応生成物リッチな流体５０を第２の蒸留カラムＣ２へ送る段階であって、前記Ｃ２は：
○  塔頂部において、反応にリサイクルされる２−オクタノールリッチな流体６；
○  塔側流の抜出を介して純粋な２−オクチルアクリラート；及び
○  塔底部において、重合防止剤と共に２−オクチルアクリラートリッチな流体であって、少なくとも一部が、配管７５を介してカラムＣ１へリサイクルされる流体
を回収することを可能にする、段階
を含むことを特徴とする、請求項１に記載の方法。
【請求項５】
触媒がメタンスルホン酸であることを特徴とする、請求項１から４のいずれか一項に記載の方法。
【請求項６】
反応が単一の反応器において実行され、２−オクタノールは、一部が直接前記反応器に導入され、一部が前記反応器に搭載されている蒸留カラムを用いて導入されることを特徴とする、請求項１から５のいずれか一項に記載の方法。
【請求項７】
デカンターからの水相が蒸留に掛けられ、存在する２−オクタノールを、除去前に、回収することを可能にすることを特徴とする、請求項１から６のいずれか一項に記載の方法。
【請求項８】
薄膜型蒸発器が、第１蒸留カラムの条件下で運転される流下式薄膜蒸発器又はワイプ式薄膜蒸発器であることを特徴とする、請求項１から７のいずれか一項に掲載の方法。
【請求項９】
アクリル酸が再生可能起源のアクリル酸であることを特徴とする、請求項１から８のいずれか一項に記載の方法。
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
エストロゲン関連疾患を治療するための薬剤送達組成物であって、
前記組成物は、リザーバを形成するエラストマーポリマーを含む薬剤溶出速度制御賦形剤を含み、
前記リザーバは、少なくとも１つのアロマターゼ阻害剤を含む少なくとも１つの離散性固形剤形を包含し、
少なくとも１ヶ月の期間、治療的有効量の前記アロマターゼ阻害剤を対象に全身送達するために、前記組成物を対象に移植することを含む方法において使用するための薬剤送達組成物。
【請求項２】
少なくとも１つのポリマーを含む賦形剤により囲まれる少なくとも１つのアロマターゼ阻害剤を含む少なくとも１つの離散性固形剤形を更に含む、請求項１に記載の薬剤送達組成物。
【請求項３】
前記治療的有効量の少なくとも１つのアロマターゼ阻害剤は擬ゼロ次速度で送達される、請求項１又は２に記載の薬剤送達組成物。
【請求項４】
前記エラストマーポリマーは熱可塑性エラストマーである、請求項１〜３のいずれか１項に記載の薬剤送達組成物。
【請求項５】
前記熱可塑性エラストマーは、ポリウレタン系ポリマー、ポリエーテル系ポリマー、ポリシリコーン系ポリマー、ポリカーボネート系ポリマー、またはそれらの組み合わせを含む、請求項４に記載の薬剤送達組成物。
【請求項６】
前記少なくとも１つのポリマーを含む賦形剤は、０．０５ｍｍ〜０．５ｍｍの平均厚を有する壁を形成する、請求項３に記載の薬剤送達組成物。
【請求項７】
前記エラストマーポリマーはポリエーテル系ポリウレタンを含む、請求項１〜６のいずれか１項に記載の薬剤送達組成物。
【請求項８】
前記エラストマーポリマーは、ポリ（テトラメチレンオキシド）および重合４，４’−ジイソシアナトジシクロヘキシルメタン（Ｈ１２ＭＤＩ）および１，４−ブタンジオールを含む脂肪族ポリエーテル系ポリウレタンを含む、請求項１〜７のいずれか１項に記載の薬剤送達組成物。
【請求項９】
前記賦形剤はインビボで実質的に浸食可能でなく実質的に分解可能でもない、請求項１〜８のいずれか１項に記載の薬剤送達組成物。
【請求項１０】
前記治療的有効量のアロマターゼ阻害剤を放出するのにインビボでの賦形剤の浸食または分解を必要としない、請求項１〜９のいずれか１項に記載の薬剤送達組成物。
【請求項１１】
前記治療的有効量のアロマターゼ阻害剤を１００〜１０，０００マイクログラム／日の目標範囲で対象に送達する、請求項１〜１０のいずれか１項に記載の薬剤送達組成物。
【請求項１２】
前記期間が少なくとも３ヶ月である、請求項１〜１１のいずれか１項に記載の薬剤送達組成物。
【請求項１３】
前記少なくとも１つのアロマターゼ阻害剤は、アナストロゾール、レトロゾール、エキセメスタン、ならびにそれらの組み合わせおよび医薬的に許容される塩からなる群より選択される、請求項１〜１２のいずれか１項に記載の薬剤送達組成物。
【請求項１４】
前記少なくとも１つの離散性固形剤形は、当該少なくとも１つの離散性固形剤形の総重量に対し７５〜９７重量％のアナストロゾールまたはその医薬的に有効な塩および当該少なくとも１つの離散性固形剤形に対し１〜２５重量％の少なくとも１つの収着促進剤を含む、請求項１〜１３のいずれか１項に記載の薬剤送達組成物。
【請求項１５】
前記少なくとも１つの収着促進剤は、２〜１２重量％で存在する、請求項１４に記載の薬剤送達組成物。
【請求項１６】
前記エストロゲン関連疾患は、乳癌、子宮内膜症、子宮筋腫、および小児または青年における低身長の少なくとも１つを含む、請求項１〜１５のいずれか１項に記載の薬剤送達組成物。
【請求項１７】
前記少なくとも１つの収着促進剤はクロスカルメロースナトリウムを含む、請求項１４に記載の薬剤送達組成物。
【請求項１８】
前記リザーバを形成するエラストマーポリマーを含む賦形剤は円筒形状である、請求項１〜１７のいずれか１項に記載の薬剤送達組成物。
【請求項１９】
リザーバを形成するエラストマーポリマーを含む薬剤溶出速度制御賦形剤を含む薬剤送達組成物であって、
当該リザーバは、少なくとも１つのアロマターゼ阻害剤を含む少なくとも１つの離散性固形剤形を包含する、薬剤送達組成物。
【請求項２０】
前記少なくとも１つの離散性固形剤形は実質的に球状である、請求項１９に記載の薬剤送達組成物。
【請求項２１】
前記薬剤溶出速度制御賦形剤は円筒形状である、請求項１９又は２０に記載の薬剤送達組成物。
【請求項２２】
前記少なくとも１つのアロマターゼ阻害剤は、アナストロゾール、レトロゾール、エキセメスタンならびにそれらの組み合わせおよび医薬的に許容される塩からなる群より選択される、請求項１９〜２１のいずれか１項に記載の薬剤送達組成物。
【請求項２３】
前記少なくとも１つの離散性固形剤形は、前記少なくとも１つのアロマターゼ阻害剤および少なくとも１つの収着促進剤を含む、請求項１９〜２２のいずれか１項に記載の薬剤送達組成物。
【請求項２４】
前記少なくとも１つの収着促進剤は、クロスカルメロースナトリウム、カルボキシメチルデンプンナトリウム、デンプングリコール酸ナトリウム、アクリル酸ナトリウム誘導体、コンドロイチン硫酸、ポリグルタミン酸、ポリアスパラギン酸、およびそれらの組み合わせからなる群より選択される、請求項２３に記載の薬剤送達組成物。
【請求項２５】
前記少なくとも１つの離散性固形剤形は、
当該少なくとも１つの離散性固形剤形の総重量に対し７５〜９７重量％のアナストロゾールまたはその医薬的に許容される塩；
当該少なくとも１つの離散性固形剤形の総重量に対し１〜２５重量％の少なくとも１つの収着促進剤；および
当該少なくとも１つの離散性固形剤形の総重量に対し０〜５重量％の潤滑剤：を含む、
請求項１９〜２４のいずれか１項に記載の薬剤送達組成物。
【請求項２６】
前記エラストマーポリマーは実質的に非多孔性である、請求項１９〜２５のいずれか１項に記載の薬剤送達組成物。
【請求項２７】
前記エラストマーポリマーは、ポリエーテル、ポリカーボネート、またはポリシリコーン由来の軟質セグメントを含む、請求項１９〜２６のいずれか１項に記載の薬剤送達組成物。
【請求項２８】
前記軟質セグメントは、ポリ（テトラメチレンオキシド）（ＰＴＭＯ）、ポリエチレングリコール（ＰＥＧ）、ポリ（プロピレンオキシド）（ＰＰＯ）、ポリ（ヘキサメチレンオキシド）、およびそれらの組合せからなる群より選択されるアルキレンオキシドポリマーに由来する、請求項２７に記載の薬剤送達組成物。
【請求項２９】
前記エラストマーポリマーは、ポリウレタンまたはポリアミド由来の硬質セグメントを含む、請求項１９〜２８のいずれか１項に記載の薬剤送達組成物。
【請求項３０】
前記硬質セグメントは、ナイロン、ナイロン誘導体、およびそれらの組み合わせからなる群より選択される、請求項２９に記載の薬剤送達組成物。
【請求項３１】
前記薬剤送達組成物中の各成分は、エストロゲン関連疾患の治療に有効な量で提供される、請求項１９〜３０のいずれか１項に記載の薬剤送達組成物。
【請求項３２】
前記エストロゲン関連疾患は、乳癌、子宮内膜症、子宮筋腫、あるいは小児または青年における低身長である、請求項３１に記載の薬剤送達組成物。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
担持触媒の製造方法であって、
該方法が以下：
（ｉ）一またはそれ以上のポアを含む内部ポア構造を有するフレームワークを含む多孔性触媒担体であって、該内部ポア構造が塩基性沈殿剤を含む多孔性触媒担体を提供するステップ；
（ｉｉ）該沈殿剤と接触することによって触媒活性金属を含む粒子が該触媒担体のフレームワークの内部ポア構造内に沈殿するように、該触媒担体を、乾燥した形態にて、触媒活性金属を含む溶液またはコロイド性懸濁液と接触させるステップ
を含むことを特徴とする方法。
【請求項２】
触媒担体が酸化物である、請求項１の方法。
【請求項３】
内部ポア構造が、より小さい直径セクションのポアまたは「ウィンドウ」を通してアクセス可能な、一またはそれ以上の領域または「ケージ」を有する、請求項１または２の方法。
【請求項４】
触媒活性金属を含む粒子が、より小さい直径セクションのポアよりも大きい有効径を有する、請求項３の方法。
【請求項５】
ポア直径またはポア「ウィンドウ」の直径が、０.２ｎｍよりも大きい、請求項１〜４のいずれか一つの方法。
【請求項６】
触媒担体がゼオタイプ構造を有する、請求項１〜５のいずれか一つの方法。
【請求項７】
触媒担体がアルミノケイ酸塩ゼオライトである、請求項６の方法。
【請求項８】
アルミノケイ酸塩ゼオライトが、１０未満、例えば２〜５の範囲のケイ素とアルミニウムのモル比を有する、請求項７の方法。
【請求項９】
触媒担体フレームワークが、ゼオライト構造の国際ゼオライト学会データベースに従うＦＡＵ、ＢＥＡまたはＭＷＷ構造を採用する、請求項１〜８のいずれか一つの方法。
【請求項１０】
触媒担体が、一またはそれ以上の電荷平衡カチオンによって平衡化される、負電荷を持つフレームワークを含む、請求項１〜９のいずれか一つの方法。
【請求項１１】
電荷平衡カチオンが、アルカリ金属またはアルカリ土類金属カチオンから選択され、好ましくはカリウムである、請求項１０の方法。
【請求項１２】
フレームワークの電荷平衡カチオンが、プロモーターまたは共触媒として作用できる、請求項１０または１１の方法。
【請求項１３】
沈殿剤が電荷平衡カチオンと同じカチオンを含み、また担持触媒中のカチオンの全含有量が触媒担体の全イオン交換能力よりも大きい、請求項１１または１２の方法。
【請求項１４】
触媒活性金属が、ニッケル、コバルト、鉄、ルテニウム、オスミウム、白金、イリジウム、レニウム、モリブデン、クロム、タングステン、バナジウム、ロジウム、およびマンガンからなる群より選択される一またはそれ以上の要素である、請求項１〜１３のいずれか一つの方法。
【請求項１５】
さらに、触媒担体を、触媒活性金属含有粒子の一部も形成する、イットリウム、ランタン、セリウム、および他のあらゆるランタニド金属からなる群より選択される金属の一またはそれ以上を含む溶液またはコロイド性懸濁液と接触することを含む、請求項１４の方法。
【請求項１６】
さらに、触媒担体を、触媒活性金属含有粒子の一部も形成する、銅、亜鉛、ガリウム、ジルコニウム、およびパラジウムからなる群より選択される要素の一またはそれ以上と接触することを含む、請求項１４または１５の方法。
【請求項１７】
触媒担体を触媒活性金属含有粒子と含む得られた物質を空気中か焼し、得られた物質の乾燥後に適宜行ってもよい、さらなるステップを含む、請求項１〜１６のいずれか一つの方法。
【請求項１８】
触媒活性金属を含む粒子が結晶構造を有する、請求項１〜１７のいずれか一つの方法。
【請求項１９】
触媒活性金属を含む粒子が、スピネルまたはペロブスカイト構造を有する、請求項１８の方法。
【請求項２０】
触媒活性金属を含む粒子の構造が、カチオン空きを含む、請求項１〜１９のいずれか一つの方法。
【請求項２１】
触媒活性金属を含む粒子が、触媒担体フレームワークの電荷平衡カチオンと静電気的に相互作用する、請求項２０の方法。
【請求項２２】
担持触媒が、Ｆｅ、Ｃｕ、Ｋを含む、請求項１〜２１のいずれか一つの方法。
【請求項２３】
触媒活性金属含有粒子を、例えば高温で水素ガスの存在下で、化学的に還元する、さらなるステップを含む、請求項１〜２２のいずれか一つの方法。
【請求項２４】
沈殿剤が、触媒担体フレームワークの内部ポア構造に最初に充填される、請求項１〜２３のいずれか一つの方法。
【請求項２５】
沈殿剤が炭酸塩または炭酸水素塩であり、例えば炭酸カリウムまたは炭酸水素カリウムである、請求項１〜２４のいずれか一つの方法。
【請求項２６】
触媒担体が、初期湿潤含浸法を用いて、触媒活性金属を含む溶液またはコロイド性懸濁液と接触される、請求項１〜２５のいずれか一つの方法。
【請求項２７】
触媒担体が、触媒活性金属の溶液と接触される、請求項１〜２６のいずれか一つの方法。
【請求項２８】
担持触媒が、フィッシャー・トロプシュ触媒である、請求項１〜２７のいずれか一つの方法。
【請求項２９】
請求項１〜２８のいずれか一つの方法によって製造される担持触媒。
【請求項３０】
触媒化学プロセスにおける触媒としての、請求項２９の担持触媒の使用。
【請求項３１】
触媒化学プロセスがフィッシャー・トロプシュ法である、請求項３０の使用。
【請求項３２】
請求項２９の触媒の存在下、酸化炭素の一またはそれ以上を水素と接触させることを特徴とする、酸化炭素の一またはそれ以上および水素から、炭化水素の一またはそれ以上を生成するプロセス。
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
連続構造用パネル（１００）であって、
連続外板コンポーネント（１０４）と、
連続湾曲複合ストリンガー（１０２）であって、
前記連続外板コンポーネント（１０４）に連結された基板フランジ（１１２）と、
ウェブ高さ（１２２）を生成するために前記基板フランジ（１１２）から外方へ突出し、前記連続湾曲複合ストリンガー（１０２）の湾曲領域（１２６）において先細になるウェブ（１１０）とを有する、連続湾曲複合ストリンガー（１０２）と、
を含み、
前記基板フランジ（１１２）は、基板幅（１２０）を生成するために前記ウェブ（１１０）から離れるように延在し、前記ウェブ高さ（１２２）が減少するにつれて前記基板幅（１２０）が増大する、
連続構造用パネル（１００）。
【請求項２】
前記連続湾曲複合ストリンガー（１０２）は、炭素繊維強化プラスチック（ＣＦＲＰ）を含む、請求項１に記載の連続構造用パネル（１００）。
【請求項３】
前記湾曲領域（１２６）において前記基板フランジ（１１２）に連結された補強フィッティング（１１６）をさらに含み、前記湾曲領域（１２６）における前記連続湾曲複合ストリンガー（１０２）の慣性曲げモーメントを増大させるように構成されている、請求項１または２に記載の連続構造用パネル（１００）。
【請求項４】
前記補強フィッティング（１１６）を介して前記連続構造用パネル（１００）に取り付けられた補助構造用パネル（１１４）をさらに含み、前記補強フィッティング（１１６）は、荷重を前記連続湾曲複合ストリンガー（１０２）および前記連続外板コンポーネント（１０４）から前記補助構造用パネル（１１４）に伝達する、請求項３に記載の連続構造用パネル（１００）。
【請求項５】
前記連続外板コンポーネント（１０４）および前記連続湾曲複合ストリンガー（１０２）は、航空機の本体側面（ＳＯＢ）のジョイントに跨る、請求項１から４のいずれか一項に記載の連続構造用パネル（１００）。
【請求項６】
前記ウェブ高さ（１２２）は、前記ウェブ（１１０）が平坦面を画定する第１のロケーションにおけるストレートウェブ高さ（１２３）を含み、
前記ウェブ高さ（１２２）が、前記第１のロケーションにおける前記ストレートウェブ高さ（１２３）から非平面を画定するために前記ウェブ（１１０）が湾曲する第２のロケーションにおける湾曲ウェブ高さ（１２２）までにかけて先細になり、
前記ウェブ高さ（１２２）が、前記第２のロケーションにおける前記湾曲ウェブ高さ（１２２）から前記ウェブ（１１０）が平坦面を画定する第３のロケーションにおける前記ストレートウェブ高さ（１２３）に戻ると増大する、
請求項１から５のいずれか一項に記載の連続構造用パネル（１００）。
【請求項７】
前記基板フランジ（１１２）は、基板幅（１２０）を生成するために前記ウェブ（１１０）から離れるように延在し、前記基板幅（１２０）は、前記第１のロケーションから前記第２のロケーションにかけて増大し、前記第２のロケーションから前記第３のロケーションにかけて減少する、請求項６に記載の連続構造用パネル（１００）。
【請求項８】
前記第２のロケーションが、前記連続湾曲複合ストリンガー（１０２）の最小曲率半径に関連する前記連続湾曲複合ストリンガー（１０２）の長さに沿った概略位置に対応する、請求項６に記載の連続構造用パネル（１００）。
【請求項９】
車両の高荷重領域内の湾曲複合構造用パネル（１００）を使用する方法であって、
複数の連続湾曲複合ストリンガー（１０２）を形成することであって、各連続湾曲複合ストリンガー（１０２）は、
少なくとも1つのストレート領域（１２４）と、
少なくとも1つの湾曲領域（１２６）と、
基板フランジ（１１２）と、
ウェブ（１１０）を有し、前記ウェブ（１１０）は、
各ストレート領域（１２４）内にストレートウェブ高さ（１２３）と、
前記ストレートウェブ高さ（１２３）よりも低い各湾曲領域（１２６）内の湾曲ウェブ高さ（１２２）とを有する、形成することと、
連続外板コンポーネント（１０４）を形成することと、
前記連続外板コンポーネント（１０４）に前記複数の連続湾曲複合ストリンガー（１０２）を連結することと、
前記少なくとも1つの湾曲領域（１２６）内の前記湾曲複合構造用パネル（１００）に安定性をもたらすために、補強フィッティング（１１６）を、前記少なくとも1つの湾曲領域（１２６）における少なくとも1つの基板フランジ（１１２）に連結することと
を含む、車両の高荷重領域内の湾曲複合構造用パネルを使用する方法。
【請求項１０】
各連続湾曲複合ストリンガー（１０２）を形成することは、各ストレート領域（１２４）内のストレート基板幅（１２０）および各湾曲領域（１２６）内の湾曲基板幅（１２０）を生成するために、前記基板フランジ（１１２）が前記ウェブ（１１０）から離れるように延在するように各連続湾曲複合ストリンガー（１０２）を形成することを含み、各湾曲領域（１２６）内の前記湾曲基板幅（１２０）は、各ストレート領域（１２４）内の前記ストレート基板幅（１２０）よりも大きい、請求項９に記載の方法。
【請求項１１】
前記補強フィッティング（１１６）を介して補助構造用パネル（１１４）を前記湾曲複合構造用パネルに連結することをさらに含む、請求項９または１０に記載の方法。
【請求項１２】
前記連続湾曲複合ストリンガー（１０２）の前記ウェブ（１１０）が、前記ストレートウェブ高さ（１２３）から前記湾曲ウェブ高さ（１２２）に至って前記ストレートウェブ高さ（１２３）に戻るまでのところで、実質的に直線的に先細になる、請求項９に記載の方法。
【請求項１３】
前記連続湾曲複合ストリンガー（１０２）の前記ウェブ（１１０）が、前記ストレートウェブ高さ（１２３）から前記湾曲ウェブ高さ（１２２）に至って前記ストレートウェブ高さ（１２３）に戻るまでのところで、実質的に非直線的に先細になる、請求項９に記載の方法。
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
第１の形状を有する強度制限表面欠陥と、
第１の破断破壊点と、
を備えるガラス物品を設けるステップ、および
前記ガラス物品を、約３以下のｐＨを有する実質的にフッ化物のない水溶性の酸性処理媒質に接触させて、第２の破断破壊点を備える酸処理強化ガラス物品を形成するステップ、
を有してなる方法であって、
前記酸処理強化ガラス物品の前記強度制限表面欠陥の少なくともサブセットが第２の形状を有し、
前記接触させるステップが、第２の破断破壊点を第１の破断破壊点よりも高くするのに十分な期間、行われ、
前記接触させるステップが、前記強度制限表面欠陥の伝播特性を低減するのに少なくとも十分である期間行われるが、前記ガラス物品の平均厚さを、約３００ナノメートル以上低減させない方法。
【請求項２】
前記酸処理強化ガラス物品を洗浄して、前記実質的にフッ化物のない水溶性の酸性処理媒質をその物品から除去することをさらに含む、請求項１に記載の方法。
【請求項３】
前記酸処理強化ガラス物品を電子装置に組み込むステップをさらに含む、請求項１または２に記載の方法。
【請求項４】
前記実質的にフッ化物のない水溶性の酸性処理媒質は、ＨＣｌ、ＨＢｒ、ＨＮＯ３、Ｈ２ＳＯ４、Ｈ２ＳＯ３、Ｈ３ＰＯ４、Ｈ３ＰＯ２、ＨＯＡｃ、クエン酸、酒石酸、アスコルビン酸、エチレンジアミン四酢酸、メタンスルホン酸、トルエンスルホン酸、これらの混合物、または、上記の酸のうちの少なくとも１つを含む組合せを含む、請求項１から３いずれか１項に記載の方法。
【請求項５】
第２の形状は、鈍的亀裂先端を備える、請求項１から４いずれか１項に記載の方法。
【請求項６】
第２の破断破壊点は、第１の破断破壊点よりも約１０％以上高い、請求項１から５いずれか１項に記載の方法。
【請求項７】
前記酸処理強化ガラス物品は、ボール落下試験によって測定して、前記ガラス物品の衝撃破損に対する耐性よりも少なくとも約４０％高い衝撃破損に対する耐性を有する、請求項１から６いずれか１項に記載の方法。
【請求項８】
前記ガラス物品は、その表面から内方に及んでいる表面圧縮応力層を備えるイオン交換強化ガラス物品であり、および前記接触させるステップが、前記表面圧縮応力層における圧縮応力のレベルを、約４パーセント以上低減するのには不十分である期間行われる、請求項１から７いずれか１項に記載の方法。
【請求項９】
請求項１から８いずれか１項に記載の方法によって作られた酸処理強化ガラス物品。
【誤訳訂正書】
【提出日】平成27年5月8日(2015.5.8)
【誤訳訂正１】
【訂正対象書類名】明細書
【訂正対象項目名】００２０
【訂正方法】変更
【訂正の内容】
【００２０】
化合物のまた別の実施形態は、（Ａ）が上記に定義のｎ個のアクリレート基を担持するオリゴマーを表し、該アクリレート基が以下の群から選択されるような化合物である：
−ビスフェノールＡジグリシジルエーテル、１，４−ブタンジオールジグリシジルエーテルまたはポリプロピレングリコールジグリシジルエーテルから成る群から選択されたエーテルに由来のエポキシ（メタ）アクリレート、
−ポリエステル、ポリエーテルまたはポリカーボネートポリオールから成る群から選択された活性水素化合物；ヒドロキシエチル（メタ）アクリレートのようなヒドロキシアルキル（メタ）アクリレートと組合せた、トルエンジイソシアネート、メチレンジフェニルジイソシアネート、水素化メチレンジフェニルジイソシアネート、イソホロンジイソシアネート、ヘキササメチレンジイソシアネート、トリメチルヘキサメチレンジイソシアネートから成る群から選択されたイソシアネートに由来のウレタン（メタ）アクリレート、または、ポリカプロラクトン（メタ）アクリレート、および、
−ジまたはポリ−ヒドロキシ化合物およびジまたはポリ−カルボン酸官能化合物に由来のポリエステルアクリレート。
【誤訳訂正２】
【訂正対象書類名】明細書
【訂正対象項目名】００３５
【訂正方法】変更
【訂正の内容】
【００３５】
発明の化合物はまた、生物医学または医学デバイスを含む様々な用途のヒドロゲルポリマーの製造に、帯電防止剤（帯電防止）特性を与えるコーティングに、親水性印刷表面を与えるような紙のコーティング中に、また、曇り止めコーティングとして、耐水接着促進剤として、難燃剤（発泡性）として、酸素ガス遮断剤として、ガラス、金属および他の極性表面のコーティング中の接着促進剤として、硬化性インキおよびコーティング中の水溶性樹脂として、超吸収性ポリマー中のポリマーに親水性もしくは親水性および疎水性の双方を与える特製架橋剤としてまたは水現像性感光ポリマーとして有用である。
【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
対象の免疫系を調節するのに使用するための細菌種ロゼブリア・ホミニス。
【請求項２】
対象の適応免疫系を調節するのに使用するための請求項１に記載の細菌種。
【請求項３】
対象の自然免疫系を調節するのに使用するための請求項１に記載の細菌種。
【請求項４】
対象における免疫ホメオスタシスを維持するのに使用するための細菌種ロゼブリア・ホミニス。
【請求項５】
対象における免疫障害を治療するのに使用するための細菌種ロゼブリア・ホミニス。
【請求項６】
免疫障害が、潰瘍性大腸炎、嚢炎：関節リウマチ、乾癬、多発性硬化症を含む他の自己免疫性状態：セリアック病、アトピー性皮膚炎及び鼻炎を含むアレルギーから選択される、請求項５に記載の使用のための細菌種。
【請求項７】
対象における炎症性障害、免疫障害及び腸障害から選択される障害を治療するのに使用するための細菌種ロゼブリア・ホミニス。
【請求項８】
障害が、過敏性腸症候群（ＩＢＳ）、大腸炎、クローン病及び潰瘍性大腸炎を含む炎症性腸障害（ＩＢＤ）、嚢炎、機能性消化不良、機能性便秘、機能性下痢（抗生物質に関連した下痢、旅行者の下痢及び小児下痢を含む）、機能性腹痛、機能性腹部膨満、心窩部痛症候群、食後愁訴症候群、胃食道逆流症（ＧＥＲＤ）：糖尿病、関節炎、多発性硬化症及び乾癬アレルギーなどの自己免疫疾患：アトピー性疾患、例えばアトピー性皮膚炎：壊死性腸炎、他の感染症、並びにそれらの組合せから選択される、請求項７に記載の使用のための細菌種。
【請求項９】
対象における腸管微生物叢を改善するのに使用するための細菌種ロゼブリア・ホミニス。
【請求項１０】
対象における食欲を調節するのに使用するための細菌種ロゼブリア・ホミニス。
【請求項１１】
対象における腸の健康を促進するのに使用するための細菌種ロゼブリア・ホミニス。
【請求項１２】
対象の免疫系におけるＴｒｅｇ細胞及び免疫寛容機構を促進するのに使用するための細菌種ロゼブリア・ホミニス。
【請求項１３】
少なくとも１つの動員又は走化性遺伝子の誘導及び／又は発現を調節する、請求項１〜１２のいずれかに記載の使用のための細菌種。
【請求項１４】
少なくとも１つの動員又は走化性遺伝子の発現を上方制御し、前記遺伝子がＭｏｂＡ及びＭｏｂＬから選択される、請求項１３に記載の使用のための細菌種。
【請求項１５】
ＦｌａＡ１、Ｆｌａ２、ＦｌａＡ３及びＦｌａＢから選択される少なくとも１つの遺伝子を制御する、請求項１〜１４のいずれかに記載の使用のための細菌種。
【請求項１６】
アセチル−ＣｏＡアセチルトランスフェラーゼ、３−ヒドロキシアシル−ＣｏＡデヒドロゲナーゼ、ブチリル−ＣｏＡデヒドロゲナーゼ、電子伝達フラビンタンパク質βサブユニット、電子伝達フラビンタンパク質αサブユニットのうちの少なくとも１つの発現を制御する、請求項１〜１５のいずれかに記載の使用のための細菌種。
【請求項１７】
Ａｇｔ、Ｃａｒｔｐｔ、Ｃｃｋ、Ｃｘｃｌ１２及びＧｃｇから選択される少なくとも１つの遺伝子の発現を下方制御する、請求項１〜１６のいずれかに記載の使用のための細菌種。
【請求項１８】
結腸又は回腸において少なくとも１つの免疫応答遺伝子を活性化させる、請求項１〜１７のいずれかに記載の使用のための細菌種。
【請求項１９】
Ｔ細胞制御に関連する遺伝子の誘導及び／又は発現を制御することにより適応免疫応答を活性化させる、請求項１〜１８のいずれかに記載の使用のための細菌種。
【請求項２０】
上行結腸においてＬｙ６ｇ６ｃ及びＬｙ６ｇ６ｅから選択される少なくとも１つの遺伝子の発現を上方制御する、請求項１〜１９のいずれかに記載の使用のための細菌種。
【請求項２１】
Ｔｌｒ５、Ｔｌｒ１、Ｖｎｎ１、Ｄｅｆｂ３７、Ｐｌａ２ｇ、Ｍｕｃ１６、Ｉｔｌｎ、Ｓｐｒｒ１ａ、Ｃｌｄｎ４、Ｐｍｐ２２、Ｃｒｂ３、Ｍａｇｉ３、Ｍａｒｖｅｌｄ３、Ｍｐｐ７、Ｄｅｆｃｒ２０、Ｐｃｇｆ２、Ｌｔｂｐ４、Ｉｇｓｆ８及びＴｃｆｅ２ａから選択される少なくとも１つの遺伝子の発現を調節する、請求項１〜２０のいずれかに記載の使用のための細菌種。
【請求項２２】
対象の免疫系を調節するための薬剤の調製における細菌種ロゼブリア・ホミニスの使用。
【請求項２３】
対象の自然免疫系を調節するための薬剤の調製における請求項２２に記載の細菌種の使用。
【請求項２４】
対象の適応免疫系を調節するための薬剤の調製における請求項２２に記載の細菌種の使用。
【請求項２５】
対象における免疫ホメオスタシスを維持するための薬剤の調製における細菌種ロゼブリア・ホミニスの使用。
【請求項２６】
対象における免疫障害を治療するための薬剤の調製における細菌種ロゼブリア・ホミニスの使用。
【請求項２７】
細菌種ロゼブリア・ホミニスを含む組成物を含む、対象における免疫系の調節剤。
【請求項２８】
細菌種ロゼブリア・ホミニスを含む組成物を含む、対象における自然免疫系の活性化剤。
【請求項２９】
細菌種ロゼブリア・ホミニスを含む組成物を含む、対象における適応免疫系の活性化剤。
【請求項３０】
細菌種ロゼブリア・ホミニスを含む、対象における免疫障害の治療剤。
【請求項３１】
対象が哺乳動物である、請求項１〜２１のいずれかに記載の使用のための細菌種。
【請求項３２】
対象が哺乳動物である、請求項２２〜２６のいずれかに記載の使用。
【請求項３３】
医薬に使用するための細菌種ロゼブリア・ホミニス。
【請求項３４】
細菌種ロゼブリア・ホミニスと、薬学的に許容される賦形剤、担体又は希釈剤とを含む医薬組成物。
【請求項３５】
細菌種ロゼブリア・ホミニスと、栄養学的に許容される賦形剤、担体又は希釈剤とを含む栄養補助剤。
【請求項３６】
細菌種ロゼブリア・ホミニスを含むプロバイオティクス組成物。
【請求項３７】
細菌種ロゼブリア・ホミニスを含む、飼料、食品、栄養補助食品、栄養補助剤又は食品添加物。
【請求項３８】
細菌種ロゼブリア・ホミニスを、薬学的に許容される賦形剤、担体又は希釈剤と混合することを含む、請求項３４に記載の医薬組成物を製造する方法。
【請求項３９】
細菌種ロゼブリア・ホミニスを、栄養学的に許容される賦形剤、担体又は希釈剤と混合することを含む、請求項３５に記載の栄養補助剤を製造する方法。
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
少なくとも１種のジエンエラストマー、130m2/g以上のCTAB比表面積を有するカーボンブラックを少なくとも含む補強用充填剤、ガラス転移温度Tgが20℃よりも高く且つ軟化点が170℃よりも低い可塑化用炭化水素樹脂と、さらにまた架橋系とをベースとし、エラストマーマトリックス中の前記充填剤分散が70以上のZ値を有することを特徴とするゴム組成物。
【請求項２】
少なくとも前記ジエンエラストマーと前記カーボンブラックを含み、且つエラストマーマトリックス中の前記カーボンブラック分散が80以上のZ値を有する第１のマスターバッチから得られる、請求項１記載の組成物。
【請求項３】
少なくとも１種のジエンエラストマー、130m2/g以上のCTAB比表面積を有するカーボンブラックを少なくとも含む補強用充填剤、ガラス転移温度Tgが20℃よりも高く且つ軟化点が170℃よりも低い可塑化用炭化水素樹脂と、さらにまた架橋系とをベースとし、少なくとも前記ジエンエラストマーと前記カーボンブラックを含み且つエラストマーマトリックス中の前記カーボンブラック分散が80以上のZ値を有する第１のマスターバッチから得られることを特徴とする組成物。
【請求項４】
前記可塑化用樹脂の含有量が、エラストマー100質量部当り2〜35質量部の範囲である、請求項１〜３のいずれか１項記載の組成物。
【請求項５】
前記第１マスターバッチが、ジエンエラストマーラテックスとカーボンブラックの水性分散液からの液相中混合によって得られる、請求項１〜４のいずれか１項記載の組成物。
【請求項６】
前記ジエンエラストマーが、ポリブタジエン、天然ゴム、合成ポリイソプレン、ブタジエンコポリマー、イソプレンコポリマーおよびこれらエラストマーのブレンドからなる群から選ばれる、請求項１〜5のいずれか１項記載の組成物。
【請求項７】
少なくとも１種の無機充填剤、および/または前記第１エラストマーと同一または異なる少なくとも１種の第２エラストマーを含む、請求項１〜6のいずれか１項記載の組成物。
【請求項８】
下記の工程を含むことを特徴とする、少なくとも１種のジエンエラストマー、130m2/g以上のCTAB比表面積を有するカーボンブラックを少なくとも含む補強用充填剤、ガラス転移温度Tgが20℃よりも高く且つ軟化点が170℃よりも低い可塑化用炭化水素樹脂と、さらにまた架橋系とを含み、エラストマーマトリックス中の前記充填剤分散が70以上のZ値を有する組成物の製造方法：
・前記架橋系を除いた前記組成物の全ての構成成分を、ミキサー内で、混合物全体を130℃と200℃の間の最高温度に達するまで熱機械的に混練することによって混和する工程；  ・混合物全体を100℃よりも低い温度に冷却する工程；
・その後、前記架橋系を混入する工程；
・混合物全体を120℃よりも低い最高温度に達するまで混練する工程。
【請求項９】
少なくとも前記ジエンエラストマーと前記カーボンブラックを含み、且つエラストマーマトリックス中の前記カーボンブラック分散が80以上のZ値を有する第１のマスターバッチを、前記組成物の全ての構成成分をミキサー内で混和する前に製造する、請求項8記載の方法。
【請求項１０】
前記マスターバッチを、少なくとも１種のエラストマーラテックスとカーボンブラック分散液からの液相中で製造する、請求項９のいずれか１項記載の方法。
【請求項１１】
前記マスターバッチを、下記の連続する工程に従って製造する、請求項１０記載の方法：
・ジエンエラストマーラテックスの連続流を、混合ゾーンと出口オリフィスの間に延びている細長凝固ゾーンを形成している凝固反応器の前記混合ゾーンに供給する工程；
・充填剤を含む流体の連続流を圧力下に凝固反応器の前記混合ゾーンに供給して、凝固混合物を形成させる工程；
・上記で得られた凝固物を乾燥させて前記第１マスターバッチを回収する工程。
【請求項１２】
前記ジエンエラストマーが、天然ゴムである、請求項８〜１１のいずれか１項記載の方法。
【請求項１３】
少なくとも１種のジエンエラストマー、130m2/g以上のCTAB比表面積を有するカーボンブラックを少なくとも含む補強用充填剤、ガラス転移温度Tgが20℃よりも高く且つ軟化点が170℃よりも低い可塑化用炭化水素樹脂をベースとし、エラストマーマトリックス中前記充填剤分散が70以上のZ値を有することを特徴とするマスターバッチ。
【請求項１４】
少なくとも前記ジエンエラストマーと前記カーボンブラックを含み、エラストマーマトリックス中の前記カーボンブラック分散が80以上のZ値を有する第１マスターバッチから得られる、請求項１３記載のマスターバッチ。
【請求項１５】
請求項１〜７のいずれか１項記載の組成物、または請求項１３又は１４のいずれか１項記載のマスターバッチを含む最終物品または半製品。
【請求項１６】
請求項１〜７のいずれか１項記載の組成物、または請求項１３又は１４のいずれか１項記載のマスターバッチを含むタイヤトレッド。
【請求項１７】
請求項１〜７のいずれか１項記載の少なくとも１種の組成物、または請求項１３〜１４のいずれか１項記載のマスターバッチを含むタイヤまたは半製品。
【請求項１８】
重量物を搬送し、継続速度で走行する車両に装着することを意図する、請求項１７記載のタイヤ。
【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
配列番号１のアミノ酸配列２４〜７４３を含む組換えヒトＮ−アセチル−アルファ−Ｄ−グルコサミニダーゼ（ｒｈＮａＧｌｕ）タンパク質の単離された混合物を含む組成物であって、前記混合物が、マンノース−６−リン酸塩（Ｍ６Ｐ）を含む１つ以上のグリカン構造を含有する十分な量のｒｈＮａＧｌｕタンパク質を含み、その結果、Ｍ６Ｐを含有する前記ｒｈＮａＧｌｕが、Ｍ６Ｐ受容体介在性エンドサイトーシスを介して、ＮａＧｌｕ欠乏症を有する哺乳類細胞中に内部移行され、内因性ＮａＧｌｕを発現する同じタイプの野生型細胞中で観察されるＮａＧｌｕ活性の少なくとも５０％を復元する、組成物。
【請求項２】
前記ｒｈＮａＧｌｕタンパク質が、ｒｈＮａＧｌｕタンパク質１モル当たり少なくとも１モルのＭ６Ｐを含む、請求項１に記載の組成物。
【請求項３】
前記ｒｈＮａＧｌｕタンパク質が、マンノースを含む、請求項１に記載の組成物。
【請求項４】
前記ｒｈＮａＧｌｕタンパク質が、Ｎ−アセチルグルコサミン（ＧｌｃＮＡｃ）を含む、請求項１に記載の組成物。
【請求項５】
前記ｒｈＮａＧｌｕタンパク質が、ガラクトースを含む、請求項１に記載の組成物。
【請求項６】
前記ｒｈＮａＧｌｕタンパク質が、Ｎ−アセチルガラクトサミン（ＧａｌＮＡｃ）を含む、請求項１に記載の組成物。
【請求項７】
ＮａＧｌｕが欠乏した前記哺乳類細胞が、ヒト細胞である、請求項１に記載の組成物。
【請求項８】
前記ヒト細胞が、皮膚線維芽細胞、肝細胞、またはマクロファージである、請求項１に記載の組成物。
【請求項９】
前記ｒｈＮａＧｌｕタンパク質が、卵管細胞から産生される、請求項１に記載の組成物。
【請求項１０】
体内に取り込まれるとき、前記ｒｈＮａＧｌｕタンパク質が、内因性ＮａＧｌｕを発現する同じタイプの野生型細胞中で観察されるＮａＧｌｕ活性の少なくとも５０％を復元する、請求項１に記載の組成物。
【請求項１１】
前記ｒｈＮａＧｌｕタンパク質が、Ｎ結合型グリコシル化されている、請求項１または請求項１０に記載の組成物。
【請求項１２】
前記ｒｈＮａＧｌｕタンパク質が、Ｏ結合型グリコシル化されている、請求項１または請求項１０に記載の組成物。
【請求項１３】
前記ｒｈＮａＧｌｕタンパク質が、ｒｈＮａＧｌｕタンパク質１モル当たり約２、３、４、５、または６モルのＭ６Ｐを含む、請求項１または請求項１０に記載の組成物。
【請求項１４】
ＮａＧｌｕ欠乏症の治療における使用のための組成物であって、前記使用が、前記組成物の治療上有効量を投与することを含む、請求項１または請求項１０の組成物。
【請求項１５】
前記使用が、ＮａＧｌｕ欠乏症を有する哺乳動物の脳に前記ｒｈＮａＧｌｕタンパク質が効果的に送達されるように、前記組成物を全身投与することを含む、請求項１４に記載の組成物。
【請求項１６】
前記使用が、ＮａＧｌｕ欠乏症を有する哺乳動物の脳に前記ｒｈＮａＧｌｕタンパク質が効果的に送達されるように、前記組成物を静脈内投与することを含む、請求項１４に記載の組成物。
【請求項１７】
卵白アルブミンプロモーターに作動可能に連結されたヒトＮａＧｌｕタンパク質をコードするヌクレオチド配列を含む、ベクター。
【請求項１８】
請求項１７に記載のベクターを含む、宿主細胞。
【請求項１９】
請求項１または請求項１０に記載の組成物を、薬学的に許容される担体、希釈剤、または賦形剤と組み合わせて含む、薬学的製剤。
【請求項２０】
前記ＮａＧｌｕ欠乏症が、サンフィリポ症候群Ｂである、請求項１４に記載の組成物。
【請求項２１】
前記使用が、前記組成物の治療上有効量をヒト対象に投与することを含む、請求項１４の組成物。
【請求項２２】
前記組換えヒトＮａＧｌｕタンパク質が、前記ヒト対象に、約１〜約３０ｍｇ／ｋｇ体重の投薬量で静脈内投与される、請求項２１に記載の組成物。
【請求項２３】
前記組換えヒトＮａＧｌｕタンパク質が、前記ヒト対象に髄腔内投与される、請求項１４に記載の組成物。
【請求項２４】
前記治療上有効量が、前記ヒト対象の脳、腎臓、または肝臓内のヘパラン硫酸塩レベルを低減するのに有効な量である、請求項１４に記載の組成物。
【請求項２５】
前記治療上有効量が、前記ヒト対象の脳または肝臓内のＮａＧｌｕ活性を増加させるのに有効な量である、請求項１４に記載の組成物。
【請求項２６】
第２の治療剤を投与することを更に含む、請求項１４に記載の組成物。
【請求項２７】
前記第２の治療剤が、免疫抑制剤である、請求項２６に記載の組成物。